(57)【特許請求の範囲】
【請求項１】
ケース内に制御基板が組み付けられたリモコン装置本体と、
所望の壁面に取り付けられ、かつ前記リモコン装置本体を前面側に配置させた状態においてネジ体を利用して前記リモコン装置本体を固定するための複数の支持片部を有している取付板と、
を備えている、リモコン装置の取付け構造であって、
前記リモコン装置本体のケースの外周縁のうち、左右幅方向または上下高さ方向のいずれかの所定方向において互いに離間して対向する一対の側縁部に設けられて、前記取付板に向けて突出し、かつ弾性復元力を伴って前記所定方向に撓み変形可能な一対の係合用突起と、
前記取付板に設けられ、かつ前記リモコン装置本体を前記取付板に向けてその正面から接近させたときに、前記一対の係合用突起の内側面に接触して前記一対の係合用突起を前記リモコン装置本体の外方に撓み変形させてから前記一対の係合用突起に係合可能な一対の係合部と、
前記ケースの前記一対の側縁部に突設されている突出縁部に設けられ、かつ前記リモコン装置本体を前記取付板に向けてその正面から接近させた際に前記複数の支持片部との嵌合が可能な複数の切り欠き状の凹部と、
を備えており、
前記複数の切り欠き状の凹部と前記複数の支持片部との嵌合は、前記所定方向とは交差する方向における前記リモコン装置本体と前記取付板との相対的なスライド移動を規制する一方、前記所定方向における前記リモコン装置本体と前記取付板との相対的なスライド移動を許容するようになされており、
前記一対の係合用突起と前記一対の係合部とが係合した状態においては、前記一対の係合用突起の一方を前記リモコン装置本体の外方に撓み変形させるようにして、前記リモコン装置本体を前記取付板に相対させて前記所定方向にスライド移動させることが可能とされ、かつこのスライド移動により、前記一対の係合用突起と前記一対の係合部との係合を解除させて、前記リモコン装置本体を前記取付板から離脱させることが可能な構成とされていることを特徴とする、リモコン装置の取付け構造。
【請求項２】
前記一対の係合用突起は、前記突出縁部に切り込み部を設けることにより形成されている、請求項１に記載のリモコン装置の取付け構造。
【請求項３】
前記リモコン装置本体に装着される化粧カバーを、さらに備えており、
前記化粧カバーが前記リモコン装置本体に装着された状態においては、前記化粧カバーが前記一対の係合用突起の外側面に接触または接近し、前記一対の係合用突起が前記リモコン装置本体の外方に向けて変形または変位することが規制されるように構成されている、請求項１または２に記載のリモコン装置の取付け構造。
【請求項４】
前記一対の係合用突起のそれぞれの内側面には、前記リモコン装置本体が前記取付板の正面方向に移動することを規制するように前記各係合部と係合可能な凸状段部が設けられている、請求項１ないし３のいずれかに記載のリモコン装置の取付け構造。
【請求項５】
前記一対の係合用突起のそれぞれには、孔部が形成されており、
前記一対の係合用突起と前記一対の係合部との係合は、前記一対の係合部のそれぞれが、前記孔部に進入することによりなされる、請求項１ないし３のいずれかに記載のリモコン装置の取付け構造。
【発明の詳細な説明】
【技術分野】
【０００１】
本発明は、給湯器あるいはその他の装置・機器類の制御に用いられるリモコン装置を、家屋の台所や洗面所などの所望の壁面に取り付けるための構造に関する。
【背景技術】
【０００２】
本出願人は、リモコン装置の取付け構造の一例として、特許文献１に記載されたものを先に提案している。同文献に記載されたリモコン装置の取付け構造は、所望の壁面に固定して取り付けられる取付板と、この取付板に対してその正面側から取り付けられるリモコン装置本体とを有している。取付板には、リモコン装置本体の下部を進入させて掛止させるための凹溝部が形成されている。リモコン装置本体は、ケース内に制御基板が収容された構成であり、取付板に別途設けられている孔部に挿入させるための係合用突起を有している。この係合用突起は、その直径が拡縮変形可能であり、取付板の孔部に挿入された際には、その直径が小さくなるように圧縮されて弾発力が生じる結果、係合用突起の外周は取付板の孔部の周縁に圧接する。この圧接の作用により、係合用突起が取付板の孔部から容易に抜けないようにすることができる。
【０００３】
このような構成によれば、リモコン装置本体の下部を取付板の凹溝部に係入し、かつリモコン装置本体の係合用突起を取付板の孔部に挿入させることにより、リモコン装置本体を取付板に容易に仮固定することができる。したがって、所望の壁面に対するリモコン装置の取り付け作業の容易化を図ることができる。
【０００４】
しかしながら、前記従来技術においては、次に述べるように、未だ改善すべき余地があった。
【０００５】
すなわち、前記従来技術においては、リモコン装置本体の係合用突起を取付板に設けられた孔部に挿入させる構造が採用されているために、取付板をリモコン装置本体よりも小サイズにしつつ前記構造を採用しようとすると、前記係合用突起については、リモコン装置本体のケースの外周縁よりもケースの中央寄りに配置させて設ける必要がある。ところが、このような構成によれば、ケースの中央寄り領域の一部分が係合用突起を設けるための領域として占有されてしまう。したがって、そのような領域を確保する必要がある分だけ、ケース内のスペースを大きくしなければならず、ケースの小型化、ひいてはリモコン装置本体の小型化を図る上で不利となる。また、ケース内に制御基板などの機器類を収容する場合には、これらの機器類と係合用突起との干渉を回避するための工夫を施す必要もあり、リモコン装置本体の構造が複雑化する不利も生じる。したがって、このようなことを適切に解消することが望まれる。
【先行技術文献】
【特許文献】
【０００６】
【特許文献１】特開２００８−１８７０６９号公報
【発明の概要】
【発明が解決しようとする課題】
【０００７】
本発明は、前記したような事情のもとで考え出されたものであって、リモコン装置本体の小型化を図りつつ、リモコン装置本体を取付板に取り付ける作業の容易化を的確に図ることが可能なリモコン装置の取付け構造を提供することを、その課題としている。
【課題を解決するための手段】
【０００８】
上記の課題を解決するため、本発明では、次の技術的手段を講じている。
【０００９】
本発明により提供されるリモコン装置の取付け構造は、ケース内に制御基板が組み付けられたリモコン装置本体と、所望の壁面に取り付けられ、かつ前記リモコン装置本体を前面側に配置させた状態においてネジ体を利用して前記リモコン装置本体を固定するための複数の支持片部を有している取付板と、を備えている、リモコン装置の取付け構造であって、前記リモコン装置本体のケースの外周縁のうち、左右幅方向または上下高さ方向のいずれかの所定方向において互いに離間して対向する一対の側縁部に設けられて、前記取付板に向けて突出し、かつ弾性復元力を伴って前記所定方向に撓み変形可能な一対の係合用突起と、前記取付板に設けられ、かつ前記リモコン装置本体を前記取付板に向けてその正面から接近させたときに、前記一対の係合用突起の内側面に接触して前記一対の係合用突起を前記リモコン装置本体の外方に撓み変形させてから前記一対の係合用突起に係合可能な一対の係合部と、前記ケースの前記一対の側縁部に突設されている突出縁部に設けられ、かつ前記リモコン装置本体を前記取付板に向けてその正面から接近させた際に前記複数の支持片部との嵌合が可能な複数の切り欠き状の凹部と、を備えており、前記複数の切り欠き状の凹部と前記複数の支持片部との嵌合は、前記所定方向とは交差する方向における前記リモコン装置本体と前記取付板との相対的なスライド移動を規制する一方、前記所定方向における前記リモコン装置本体と前記取付板との相対的なスライド移動を許容するようになされており、前記一対の係合用突起と前記一対の係合部とが係合した状態においては、前記一対の係合用突起の一方を前記リモコン装置本体の外方に撓み変形させるようにして、前記リモコン装置本体を前記取付板に相対させて前記所定方向にスライド移動させることが可能とされ、かつこのスライド移動により、前記一対の係合用突起と前記一対の係合部との係合を解除させて、前記リモコン装置本体を前記取付板から離脱させることが可能な構成とされていることを特徴としている。
【００１０】
このような構成によれば、リモコン装置本体の一対の係合用突起を、取付板の一対の係
合部に係合させることにより、取付板に対してリモコン装置本体を適切に固定させることができる。これは、リモコン装置本体をたとえばネジ止めする前の仮固定に好ましく、リモコン装置の取付け作業の容易化を図るのに役立つ。一方、前記一対の係合用突起は、リモコン装置本体のケースの外周縁に形成されている。このため、前記従来技術とは異なり、リモコン装置本体のケースの中央寄り領域の一部が係合用突起を設けるための領域として占有されないようにすることができる。その結果、ケースの小型化、ひいてはリモコン装置本体の小型化を図るのに好ましいものとなる。また、ケース内に組み付けられる制御基板などの機器類と係合用突起との干渉を好適に回避する効果も得られ、構造の簡素化、製造コストの低減化を図ることもできる。
さらに、前記構成によれば、係合用突起と係合部との係合を簡単な操作で解除することができる。したがって、取付板からリモコン装置本体を取り外す作業も容易化される。
【００１１】
本発明において、好ましくは、前記一対の係合用突起は、前記突出縁部に切り込み部を設けることにより形成されている。
【００１２】
このような構成によれば、一対の係合用突起を容易かつ適切に形成することができる。
【００１３】
本発明において、好ましくは、前記リモコン装置本体に装着される化粧カバーを、さらに備えており、前記化粧カバーが前記リモコン装置本体に装着された状態においては、前記化粧カバーが前記一対の係合用突起の外側面に接触または接近し、前記一対の係合用突起が前記リモコン装置本体の外方に向けて変形または変位することが規制されるように構成されている。
【００１４】
このような構成によれば、化粧カバーをリモコン装置本体に装着することにより、係合用突起と係合部との係合状態を確実かつ強固なものとすることができる。また、係合用突起と係合部との係合状態を維持するための手段として、化粧カバーが有効に利用され、他の専用部材を用いる必要がないために、合理的である。
【００１５】
本発明において、好ましくは、前記一対の係合用突起のそれぞれの内側面には、前記リモコン装置本体が前記取付板の正面方向に移動することを規制するように前記各係合部と係合可能な凸状段部が設けられている。
【００１６】
このような構成によれば、係合用突起と係合部との係合状態を確実化し、これらの係合状態が不用意に解除されることを防止するのに好ましい。
【００１７】
本発明において、好ましくは、前記一対の係合用突起のそれぞれには、孔部が形成され
ており、前記一対の係合用突起と前記一対の係合部との係合は、前記一対の係合部のそれぞれが、前記孔部に進入することによりなされる。
【００１８】
このような構成によっても、係合用突起と係合部との係合状態を確実なものとすることができる。
【００２１】
本発明のその他の特徴および利点は、添付図面を参照して以下に行なう発明の実施の形態の説明から、より明らかになるであろう。
【図面の簡単な説明】
【００２２】
【図１】本発明が適用されたリモコン装置の取付け構造の一例を示す斜視図である。
【図２】図１に示すリモコン装置の取付け構造の分解斜視図である。
【図３】（ａ）は、図１に示すリモコン装置の分解断面図であり、（ｂ）は、図１のIII−III断面図である。
【図４】（ａ）は、図１のIV−IV断面図であり、（ｂ）は、（ａ）のＡ部拡大断面図である。
【図５】（ａ）は、図１のＶ−Ｖ断面図であり、（ｂ）は、（ａ）のＢ部拡大断面図である。
【図６】（ａ）は、図４（ａ）の要部分解断面図であり、（ｂ）は、図５（ａ）の要部分解断面図である。
【図７】図６（ａ）に示す構造の作用を示す要部拡大断面図である。
【図８】（ａ）は、図４（ａ）の要部分解断面図であり、（ｂ）は、図５（ａ）の要部分解断面図である。
【図９】図１に示すリモコン装置の取付け構造における取付板とリモコン装置本体のケースとの位置関係を示す正面断面図である。
【図１０】図９に示す構造において、取付板とリモコン装置本体のケースとを位置ずれさせた状態を示す正面断面図である。
【図１１】（ａ），（ｂ）は、本発明の他の例を示す平面断面図である。
【発明を実施するための形態】
【００２３】
以下、本発明の好ましい実施の形態について、図面を参照して具体的に説明する。
【００２４】
図１〜図１０は、本発明が適用されたリモコン装置の取付け構造およびこれに関連する構成の一例を示している。
本実施形態のリモコン装置の取付け構造は、図１に示すように、たとえば給湯器用のリモコン装置Ｒが台所またはその他の部屋の壁面９に取り付けられた構造である。図２によく表われているように、リモコン装置Ｒは、リモコン装置本体１および化粧カバー２を具備して構成されており、リモコン装置本体１は、取付板３を利用して壁面９に取り付けられる。図３に示すように、壁面９には、リモコン装置本体１の背面側に接続された電力供給用および信号送受信用の複数の配線コードＣを通すための開口部９０（図２では省略）が形成されている。
【００２５】
取付板３は、金属板にプレス加工などを施して構成されたものであり、ネジ体４０を利用して壁面９に固定される。この取付板３の中央には、配線コードＣを通すための開口部３０が形成されている。また、図２に示すように、この取付板３は、ネジ体４０を挿通させるための複数の孔部３１ａ，３１ｂに加え、リモコン装置本体１をこの取付板３にネジ体４１を用いて固定させるためのネジ孔３２が形成された複数（本実施形態では３箇所）の支持片部３３、および一対の係合部３４ａ，３４ｂを有している。各支持片部３３は、図６（ａ）に示すように、壁面９からその正面に適当な寸法ｓ１だけ離間するように設けられている。
【００２６】
図２において、一対の係合部３４ａ，３４ｂは、後述する一対の係合用突起１２ａ，１２ｂに係合させてリモコン装置本体１を取付板３に固定（仮固定）させるための部分である。これら一対の係合部３４ａ，３４ｂは、取付板３の左右の両側縁部３ａ，３ｂに設けられているが、一方の係合部３４ａは、右側の側縁部３ａの上部寄りに位置し、かつ側縁部３ａの他の部分よりも右側に部分的に突出した小片状である。他方の係合部３４ｂは、左側の側縁部３ｂの下部寄りに位置し、かつ側縁部３ｂの他の部分よりも左側に部分的に突出した小片状である。図６（ａ），（ｂ）に示すように、これらの係合部３４ａ，３４ｂも、先に述べた支持片部３３と同様に、壁面９からその正面に適当な寸法ｓ２だけ離間するように設けられている。
【００２７】
図３および図４に示すように、リモコン装置本体１は、給湯器の運転のオン・オフや目標給湯温度の設定制御などを行なうための電気および電子回路（図示略）を備えた制御基板１０が、合成樹脂製のケース１１内に組み込まれた構成である。制御基板１０には、液晶パネルを利用したデータ表示器１０ａ、スピーカ１０ｂ、および複数の操作スイッチ部１０ｃ，１０ｄなども搭載されている。
【００２８】
リモコン装置本体１のケース１１は、図２に示すように、主板部１１ａ、この主板部１１ａの外周縁からその背後に向けて突出した突出縁部１１ｂ、および一対の係合用突起１２ａ，１２ｂを有している。制御基板１０は、主板部１１ａの背面側に組み付けられており、主板部１１ａには、データ表示器１０ａや操作スイッチ部１０ｃ，１０ｄを主板部１１ａの前面側に露出させるための開口部１３ａ，１３ｂが形成されている。突出縁部１１ｂは、リモコン装置本体１の制御基板１０やその他の機器の周囲を囲む略枠状である。一対の係合用突起１２ａ，１２ｂは、取付板３の一対の係合部３４ａ，３４ｂに係合させるための部分であり、突出縁部１１ｂにスリット状またはその他の形状の切り込み部１４ａ，１４ｂを設けることによって形成されている。つまり、突出縁部１１ｂの一部が係合用突起１２ａ，１２ｂとして構成されている。一対の係合用突起１２ａ，１２ｂは、係合部３４ａ，３４ｂに対応した配置となるように、主板部１１ａの右側縁部１１ａ’の上部寄り、および左側縁部１１ａ”の下部寄りにそれぞれ位置して、主板部１１ａの背後に向けて突出している。
【００２９】
係合用突起１２ａ，１２ｂは、リモコン装置本体１の左右幅方向に弾性復元力を伴って撓み変形可能である。また、図６（ａ），（ｂ）に示すように、左右幅方向における一対の係合用突起１２ａ，１２ｂの内側面どうしの間隔Ｌ１は、一対の係合部３４ａ，３４ｂの外側面どうしの間隔Ｌ２よりも若干小さい寸法とされている。このため、図７などを参照して後述するように、リモコン装置本体１を取付板３に取り付ける際には、係合用突起１２ａ，１２ｂが係合部３４ａ，３４ｂに当接することによって外側方向に撓み変形を生じる。係合用突起１２ａ，１２ｂは、先端寄り領域の内側面が傾斜面とされ、この傾斜面が形成された先端寄り領域においては基端側から先端側に進むほど幅が狭くなる形状を有し、前記内側面には、凸状段部１５が形成されている。この凸状段部１５は、後述するように、係合部３４ａ，３４ｂに対して係合用突起１２ａ，１２ｂが抜け止め状態となるよ
うに係合する部分である。
【００３０】
図２に示すように、リモコン装置本体１のケース１１の前面側には、ネジ体挿通用の孔部１６ａが形成された凹部１６が設けられている。ケース１１の背面側には、凹部１６に対応する凹部１７が設けられている。凹部１７は、取付板３の支持片部３３を進入可能とするものであり、この凹部１７の外側端部は開口している。この開口は、図１０を参照して後述するように、リモコン装置本体１と取付板３とを横幅方向に相対的にスライドさせるのに役立つ。本実施形態では、凹部１６，１７がケース１１の四隅のうち、３箇所の隅部の近傍にのみ設けられており、ケース１１の右上の隅部近傍には設けられていない。これは、本実施形態では、図４に示すように、データ表示器１０ａを構成する液晶パネルの左右幅方向（長手方向）の右端側がバックライト用の光源配置部１０ａ’とされ、この光源配置部１０ａ’の近傍に凹部１６，１７を設けようとすると、ケース１１の全体が大型化し、これを回避するためである。ただし、後述するように、この部分の近傍においては、係合用突起１２ａを利用して取付板３との固定が図られるために、取り付けが不安定になる不具合はない。なお、バックライト用の光源（たとえばＬＥＤ光源）を液晶パネルの長手方向の一端側に配置すれば、光源の総数を少なくしつつ、照明むらも少なくすることが可能である。
【００３１】
図２において、化粧カバー２は、リモコン装置本体１を保護しつつ、リモコン装置Ｒ全体の外観体裁を良好とする役割を果たすものであり、リモコン装置本体１の前面部のデータ表示部１０ａや操作スイッチ部１０ｃ，１０ｄ以外の箇所、ならびにリモコン装置本体１の上下左右の周側面部を覆うことが可能な合成樹脂製のケース状である。リモコン装置本体１に対する化粧カバー２の装着手段としては、化粧カバー２をリモコン装置本体１に対してその正面側から外嵌する手段が採用されている。化粧カバー２をリモコン装置本体１に装着した際には、この化粧カバー２の左右両側の突出縁部２０ａ，２０ｂによって、一対の係合用突起１２ａ，１２ｂを押さえつけることが可能であるが、その詳細についても後述する。
【００３２】
次に、リモコン装置Ｒを壁面９に取付ける場合の作業手順、および作用について説明する。
【００３３】
まず、取付板３については、ネジ体４０を利用して壁面９に予め固定させておく。次いで、リモコン装置本体１を取付板３にその正面から接近させていき、リモコン装置本体１を取付板３に仮固定させる。より具体的に説明すると、まず図６（ａ），（ｂ）に示すように、リモコン装置本体１を取付板３に接近させていくが、その際には、支持片部３３が凹部１７に嵌入し、ネジ孔３２と孔部１６ａとが一致するように位置合わせする。すると、係合用突起１２ａ，１２ｂは、係合部３４ａ，３４ｂに当接することとなるが、図７に示すように、係合用突起１２ａは係合部３４ａとの当接に起因してリモコン装置本体１の外側方向に撓む。図示説明は省略するが、他方の係合用突起１２ｂについても、同様にリモコン装置本体１の外側方向に撓む。したがって、係合用突起１２ａ，１２ｂをさらに取付板３寄りに移動させて、図８（ａ），（ｂ）に示すように、係合用突起１２ａ，１２ｂの各凸状段部１５を係合部３４ａ，３４ｂよりも壁面９側に配置させることができる。
【００３４】
前記したような設定により、係合用突起１２ａ，１２ｂは、係合部３４ａ，３４ｂに対し、取付板３の正面方向への抜け止めが図られた状態に係合する。係合用突起１２ａ，１２ｂは、その弾性によって元の形状に復元しようとするために、前記した係合は確実化される。また、係合用突起１２ａ，１２ｂは、リモコン装置本体１の左右両側に振り分けられて設けられており、これら係合用突起１２ａ，１２ｂに対し、係合部３４ａ，３４ｂによってそれらの内側から外側に向けて押し広げる力（突っ張り力）を発揮させることができる。加えて、係合用突起１２ａ，１２ｂは、上下高さ方向においても高い位置と低い位
置とに振り分けられたために、リモコン装置本体１の全体を２箇所の係合部分によって安定させるのに好ましいものとなる。さらに、複数の支持片部３３は、凹部１７に嵌入するために、この嵌合作用によっても取付板３とリモコン装置本体１との位置決めが図られる。
【００３５】
本実施形態においては、前記したようなことから、リモコン装置本体１を取付板３に対して安定的に仮固定させることが可能である。リモコン装置本体１を前記したように安定的に仮固定させれば、その後にネジ体４１を利用してリモコン装置本体１を取付板３に固定させる場合に、リモコン装置本体１を手で把持するような必要がないばかりか、リモコン装置本体１のガタツキなども容易に生じないようにすることが可能となり、作業の容易化が図られる。一方、係合用突起１２ａ，１２ｂは、リモコン装置本体１のケース１１の両側縁部１１ａ’，１１ａ”に形成されているために、これら係合用突起１２ａ，１２ｂをケース１１の中央寄りに設ける場合とは異なり、係合用突起１２ａ，１２ｂと制御基板１０などとの干渉を生じないようにすることが容易となる。また、ケース１１の中央寄り領域の一部が係合用突起１２ａ，１２ｂを設けるための領域として占有されないようにすることができるために、ケース１１の小型化、ひいてはリモコン装置本体１の全体の小型化を図るのに好ましいものとなる。
【００３６】
リモコン装置本体１のネジ止めを完了した後には、化粧カバー２をリモコン装置本体１に装着する。すると、図４および図５に示すように、係合用突起１２ａ，１２ｂの外側面には、化粧カバー２の突出縁部２０ａ，２０ｂの内側面が接触または接近する。その結果、係合用突起１２ａ，１２ｂが外側方向に変形または変位することが適切に防止され、係合用突起１２ａ，１２ｂと係合部３４ａ，３４ｂとの係合部分に大きな遊びが生じないようにすることができる。このような効果は、とくに係合用突起１２ａと係合部３４ａとの係合部分において有意義である。すなわち、既述したように、リモコン装置本体１の右上隅部の近傍は、取付板３に対してネジ止めされていない。このため、本来ならば、その部分の取り付け状態が不安定となる虞があるが、本実施形態によれば、係合用突起１２ａと係合部３４ａとの係合を強固にすることができるために、前記した虞を解消することが可能である。なお、化粧カバー２の突出縁部２０ａ，２０ｂと係合用突起１２ａ，１２ｂとを確実かつ強固に接触させるための手段として、たとえば係合用突起１２ａ，１２ｂの外側面に凸部を設け、この凸部に突出縁部２０ａ，２０ｂが当接するように構成することもできる。リモコン装置本体１を取付板３に固定させた後には、化粧カバー２をリモコン装置本体１に取り付けることにより、図１に示したような態様でのリモコン装置Ｒの取り付けが完了する。
【００３７】
メンテナンスやその他の理由から、取付板３に取り付けられているリモコン装置本体１を取付板３から取り外したい場合がある。この場合には、図９に示すように、化粧カバー２が取り外され、かつリモコン装置本体１のネジ止めも解除された状態において、作業者がリモコン装置本体１のケース１１を把持し、図１０に示すように、リモコン装置本体１を左右幅方向の一方にスライドさせる。支持片部３３が嵌入している凹部１７の外側端部は開口しているために、そのようなスライド操作が可能である。また、このスライド操作は、係合用突起１２ｂの弾発力に抗し、この係合用突起１２ｂを撓み変形させつつ行なわれる。リモコン装置本体１を図１０に示すようにスライドさせると、係合用突起１２ａと係合部３４ａとが離反することとなり、それらの係合状態を解除することが可能である。リモコン装置本体１を図１０とは反対方向にスライドさせた際には、係合用突起１２ｂと係合部３４ｂとの係合を解除することが可能である。したがって、前記したような操作を行なうことにより、取付板３に対するリモコン装置本体１の仮固定状態を解除し、リモコン装置本体１を取付板３から容易に取り外すことができる。このように、本実施形態のリモコン装置の取付け構造によれば、リモコン装置Ｒを取り外す場合の作業性にも優れたものとなる。
【００３８】
図１１は、本発明の他の実施形態を示している。同図において、前記実施形態と同一または類似の要素には、前記実施形態と同一の符号を付している。
【００３９】
図１１（ａ）に示す実施形態においては、各係合用突起１２に孔部１８が形成されている。これに対し、各係合部３４は、同図（ｂ）に示すように、その外側端部が孔部１８に進入可能な構成とされている。本実施形態によれば、孔部１８に係合部３４が進入することにより、各係合用突起１２と各係合部３４とを係合させて、リモコン装置本体１が取付板３から脱落しないように仮固定させることができる。本実施形態のような構成も、本発明の技術的範囲に包摂される。
【００４０】
本発明は、上述した実施形態の内容に限定されない。本発明に係るリモコン装置の取付け構造の各部の具体的な構成は、種々に設計変更自在である。
【００４１】
一対の係合用突起は、要は、取付板に向けて突出し、弾性復元力を伴って撓み変形可能な突起として構成されていればよい。また、一対の係合用突起が設けられる位置は、リモコン装置本体のケースの左右幅方向の両側縁部に限らず、たとえば前記ケースの上下高さ方向の両側縁部（上側縁部および下側縁部）に設けられた構成とすることもできる。取付板に設けられる一対の係合部は、リモコン装置本体を取付板に向けてその正面から接近させたときに、一対の係合用突起の内側面に接触してこの係合用突起をリモコン装置本体の外方に撓み変形させる機能を発揮し、かつ前記一対の係合用突起と係合可能であればよく、その具体的な形状やサイズなどは限定されない。本発明においては、一対の係合用突起と一対の係合部との組み合わせ（互いに係合可能な係合用突起と係合部との組み合わせが２組）に加え、これらとは別の係合用突起と係合部との組み合わせがさらに設けられた構成（係合用突起と係合部との組み合わせが３組以上の構成）とすることもできる。
【００４２】
取付板は、リモコン装置本体を壁面に取り付けるためのベースとなる部材であり、やはりその具体的な形状や材質などは限定されない。この取付板は、複数の部材を用いて構成することもできる。本発明でいうリモコン装置本体とは、リモコン装置の主要部をなす部分であって、ケース内に制御基板が組み付けられた構成を有するものであり、ケースの具体的な形状や制御基板の具体的な回路構成などは、やはり限定されない。本発明は、給湯器用のリモコン装置に限らず、壁面に取付けられる種々のリモコン装置の取り付けに適用することが可能である。
【符号の説明】
【００４３】
Ｒ  リモコン装置
１  リモコン装置本体
２  化粧カバー
３  取付板
９  壁面
１０  制御基板
１１  ケース（リモコン装置本体の）
１１ａ  主板部（ケースの）
１１ａ’  右側縁部（ケースの側縁部）
１１ａ”  左側縁部（ケースの側縁部）
１１ｂ  突出縁部（ケースの）
１２  係合用突起
１２ａ，１２ｂ  一対の係合用突起
１４ａ，１４ｂ  切り込み部
１５  凸状段部
１８  孔部
３４  係合部
３４ａ，３４ｂ  一対の係合部
【図１】
0005541459.tif 000002
【図２】
0005541459.tif 000003
【図３】
0005541459.tif 000004
【図４】
0005541459.tif 000005
【図５】
0005541459.tif 000006
【図６】
0005541459.tif 000007
【図７】
0005541459.tif 000008
【図８】
0005541459.tif 000009
【図９】
0005541459.tif 000010
【図１０】
0005541459.tif 000011
【図１１】
0005541459.tif 000012